【手続補正書】
【提出日】平成17年12月26日(2005.12.26)
【手続補正１】
【補正対象書類名】明細書
【補正対象項目名】全文
【補正方法】変更
【補正の内容】
【書類名】  明細書
【発明の名称】  記録再生システム、記録再生方法、プログラム、および記録媒体
【特許請求の範囲】
【請求項１】  複数個のデータが記録されたまたは記録される記録媒体と、
前記記録されたまたは記録される複数個のデータの内から、所定のデータを選択するデータ選択手段と、
前記記録媒体に、前記選択された所定のデータを特定するための一個または複数個のリストを記録するリスト記録手段と、
前記記録された一個または複数個のリストに基づいて、前記リストによって特定された所定のデータを再生するデータ再生手段とを備えた記録再生システム。
【請求項２】  前記記録媒体に、前記一個または複数個のリストによって特定された所定のデータに関連するデータ関連情報に関するデータ関連情報データを記録するデータ関連情報データ記録手段をさらに備えた請求項１記載の記録再生システム。
【請求項３】  前記記録媒体に、前記一個または複数個のリストに関するリストデータを記録するリストデータ記録手段をさらに備えた請求項１記載の記録再生システム。
【請求項４】  前記リストデータは、（ａ）前記一個または複数個のリストが記録された位置に関するリスト記録位置データ、（ｂ）前記一個または複数個のリストの個数に関するリスト個数データ、（ｃ）前記一個または複数個のリストによって特定された所定のデータの種類別の個数に関するデータ種類別個数データ、（ｄ）前記一個または複数個のリストによって特定された所定のデータが記録された位置に関するデータ記録位置データ、および（ｅ）前記一個または複数個のリストによって特定された所定のデータに関連するデータ関連情報に関するデータ関連情報データの内の全部または一部を含む請求項３記載の記録再生システム。
【請求項５】  前記記録媒体に、前記一個または複数個のリストによって特定された所定のデータに関連するデータ関連情報に関するデータ関連情報データを記録するデータ関連情報データ記録手段をさらに備え、
前記リストデータは、前記データ関連情報データが記録された位置に関するデータ関連情報データ記録位置データを含む請求項３記載の記録再生システム。
【請求項６】  記録媒体に記録されたまたは記録される複数個のデータの内から、所定のデータを選択するデータ選択ステップと、
前記記録媒体に、前記選択された所定のデータを特定するための一個または複数個のリストを記録するリスト記録ステップと、
前記記録された一個または複数個のリストに基づいて、前記リストによって特定された所定のデータを再生するデータ再生ステップとを備えた記録再生方法。
【請求項７】  請求項６記載の記録再生方法の、記録媒体に記録されたまたは記録される複数個のデータの内から、所定のデータを選択するデータ選択ステップと、前記記録媒体に、前記選択された所定のデータを特定するための一個または複数個のリストを記録するリスト記録ステップと、前記記録された一個または複数個のリストに基づいて、前記リストによって特定された所定のデータを再生するデータ再生ステップとをコンピュータに実行させるためのプログラム。
【請求項８】  請求項７記載のプログラムを担持した記録媒体であって、コンピュータにより処理可能な記録媒体。
【請求項９】  記録媒体に記録されたまたは記録される複数個のデータの内から、所定のデータを選択するデータ選択手段と、
前記記録媒体に、前記選択された所定のデータを特定するための一個または複数個のリストを記録するリスト記録手段とを備えた記録装置。
【請求項１０】  前記記録された一個または複数個のリストに基づいて、前記リストによって特定された所定のデータが再生される請求項９記載の記録装置。
【請求項１１】  記録媒体に記録されたまたは記録される複数個のデータの内から、所定のデータを選択するデータ選択ステップと、
前記記録媒体に、前記選択された所定のデータを特定するための一個または複数個のリストを記録するリスト記録ステップとを備えた記録方法。
【請求項１２】  請求項１１記載の記録方法の、記録媒体に記録されたまたは記録される複数個のデータの内から、所定のデータを選択するデータ選択ステップと、前記記録媒体に、前記選択された所定のデータを特定するための一個または複数個のリストを記録するリスト記録ステップとをコンピュータに実行させるためのプログラム。
【請求項１３】  請求項１２記載のプログラムを担持した記録媒体であって、コンピュータにより処理可能な記録媒体。
【請求項１４】  記録媒体に記録された、前記記録媒体に記録された複数個のデータの内から選択された所定のデータを特定するための一個または複数個のリストに基づいて、前記リストによって特定された所定のデータを再生するデータ再生手段を備えた再生装置。
【請求項１５】  記録媒体に記録された、前記記録媒体に記録された複数個のデータの内から選択された所定のデータを特定するための一個または複数個のリストに基づいて、前記リストによって特定された所定のデータを再生するデータ再生ステップを備えた再生方法。
【請求項１６】  請求項１５記載の再生方法の、記録媒体に記録された、前記記録媒体に記録された複数個のデータの内から選択された所定のデータを特定するための一個または複数個のリストに基づいて、前記リストによって特定された所定のデータを再生するデータ再生ステップをコンピュータに実行させるためのプログラム。
【請求項１７】  請求項１６記載のプログラムを担持した記録媒体であって、コンピュータにより処理可能な記録媒体。
【請求項１８】  複数個のデータと、前記複数個のデータの内から選択された所定のデータを特定するための一個または複数個のリストとが記録された記録媒体。
【請求項１９】  前記記録された一個または複数個のリストに基づいて、前記リストによって特定された所定のデータが再生される請求項１８記載の記録媒体。
【請求項２０】  複数個のデータが記録されたまたは記録される記録媒体と、
前記記録媒体に、前記記録されたまたは記録される複数個のデータの内の所定のデータの再生順序を指定するための再生順序指定データを記録する再生順序指定データ記録手段と、
前記記録された再生順序指定データに基づいて、前記再生順序指定データによって前記再生順序が指定された所定のデータを再生するデータ再生手段とを備えた記録再生システム。
【請求項２１】  複数個のデータが記録されたまたは記録される記録媒体に、前記記録されたまたは記録される複数個のデータの内の所定のデータの再生順序を指定するための再生順序指定データを記録する再生順序指定データ記録ステップと、
前記記録された再生順序指定データに基づいて、前記再生順序指定データによって前記再生順序が指定された所定のデータを再生するデータ再生ステップとを備えた記録再生方法。
【請求項２２】  請求項２１記載の記録再生方法の、複数個のデータが記録されたまたは記録される記録媒体に、前記記録されたまたは記録される複数個のデータの内の所定のデータの再生順序を指定するための再生順序指定データを記録する再生順序指定データ記録ステップと、前記記録された再生順序指定データに基づいて、前記再生順序指定データによって前記再生順序が指定された所定のデータを再生するデータ再生ステップとをコンピュータに実行させるためのプログラム。
【請求項２３】  請求項２２記載のプログラムを担持した記録媒体であって、コンピュータにより処理可能な記録媒体。
【請求項２４】  複数個のデータが記録されたまたは記録される記録媒体に、前記記録されたまたは記録される複数個のデータの内の所定のデータの再生順序を指定するための再生順序指定データを記録する再生順序指定データ記録手段を備えた記録装置。
【請求項２５】  前記記録された再生順序指定データに基づいて、前記再生順序指定データによって前記再生順序が指定された所定のデータが再生される請求項２４記載の記録装置。
【請求項２６】  複数個のデータが記録されたまたは記録される記録媒体に、前記記録されたまたは記録される複数個のデータの内の所定のデータの再生順序を指定するための再生順序指定データを記録する再生順序指定データ記録ステップを備えた記録方法。
【請求項２７】  請求項２６記載の記録方法の、複数個のデータが記録されたまたは記録される記録媒体に、前記記録されたまたは記録される複数個のデータの内の所定のデータの再生順序を指定するための再生順序指定データを記録する再生順序指定データ記録ステップをコンピュータに実行させるためのプログラム。
【請求項２８】  請求項２７記載のプログラムを担持した記録媒体であって、コンピュータにより処理可能な記録媒体。
【請求項２９】  複数個のデータが記録された記録媒体に記録された、前記記録された複数個のデータの内の所定のデータの再生順序を指定するための再生順序指定データに基づいて、前記再生順序指定データによって前記再生順序が指定された所定のデータを再生するデータ再生手段を備えた再生装置。
【請求項３０】  複数個のデータが記録された記録媒体に記録された、前記記録された複数個のデータの内の所定のデータの再生順序を指定するための再生順序指定データに基づいて、前記再生順序指定データによって前記再生順序が指定された所定のデータを再生するデータ再生ステップを備えた再生方法。
【請求項３１】  請求項３０記載の再生方法の、複数個のデータが記録された記録媒体に記録された、前記記録された複数個のデータの内の所定のデータの再生順序を指定するための再生順序指定データに基づいて、前記再生順序指定データによって前記再生順序が指定された所定のデータを再生するデータ再生ステップをコンピュータに実行させるためのプログラム。
【請求項３２】  請求項３１記載のプログラムを担持した記録媒体であって、コンピュータにより処理可能な記録媒体。
【請求項３３】  複数個のデータと、前記複数個のデータの内の所定のデータの再生順序を指定するための再生順序指定データとが記録された記録媒体。
【請求項３４】  前記記録された再生順序指定データに基づいて、前記再生順序指定データによって前記再生順序が指定された所定のデータが再生される請求項３３記載の記録媒体。
【請求項３５】  複数個のデータが記録されたまたは記録される記録媒体と、
前記記録媒体に、前記記録されたまたは記録される複数個のデータの内の一個または複数個のデータを特定するためのリストを記録するリスト記録手段と、
前記記録されたリストを出力するリスト出力手段と、
前記出力されたリストによって特定された一個または複数個のデータの内から、所定のデータを選択するデータ選択手段と、
前記選択された所定のデータを再生するデータ再生手段とを備えた記録再生システム。
【請求項３６】  前記選択された所定のデータの再生順序を指定する再生順序指定手段をさらに備えた請求項３５記載の記録再生システム。
【請求項３７】  前記リスト記録手段は、複数個のデータを特定するためのリストを記録し、
前記データ選択手段は、複数個のデータを選択し、
前記再生順序指定手段は、前記選択された複数個のデータの再生順序を指定し、
前記データ再生手段は、前記指定された再生順序に基づいて、前記再生順序が指定された複数個のデータを再生する請求項３６記載の記録再生システム。
【請求項３８】  前記記録媒体に、前記リストの内容に関するリスト内容データを記録するリスト内容データ記録手段をさらに備え、
前記リストは、前記リスト内容データが記録された位置に関するリスト内容データ記録位置データをもつ請求項３５記載の記録再生システム。
【請求項３９】  前記リスト内容データは、前記リストの内容に関する音声出力を行うための音声データであり、
前記リスト出力手段は、前記リスト内容データ記録位置データに基づいて前記リスト内容データを読み出し、前記リストの内容に関する音声出力によって前記記録されたリストを出力する請求項３８記載の記録再生システム。
【請求項４０】  前記リストによって特定された一個または複数個のデータの全部または一部は、音声データであり、
前記リスト内容データは、前記リストによって特定された一個または複数個のデータの全部または一部を利用して生成された音声データである請求項３９記載の記録再生システム。
【請求項４１】  複数個のデータが記録されたまたは記録される記録媒体に、前記記録されたまたは記録される複数個のデータの内の一個または複数個のデータを特定するためのリストを記録するリスト記録ステップと、
前記記録されたリストを出力するリスト出力ステップと、
前記出力されたリストによって特定された一個または複数個のデータの内から、所定のデータを選択するデータ選択ステップと、
前記選択された所定のデータを再生するデータ再生ステップとを備えた記録再生方法。
【請求項４２】  請求項４１記載の記録再生方法の、複数個のデータが記録されたまたは記録される記録媒体に、前記記録されたまたは記録される複数個のデータの内の一個または複数個のデータを特定するためのリストを記録するリスト記録ステップと、前記記録されたリストを出力するリスト出力ステップと、前記出力されたリストによって特定された一個または複数個のデータの内から、所定のデータを選択するデータ選択ステップと、前記選択された所定のデータを再生するデータ再生ステップとをコンピュータに実行させるためのプログラム。
【請求項４３】  請求項４２記載のプログラムを担持した記録媒体であって、コンピュータにより処理可能な記録媒体。
【請求項４４】  複数個のデータが記録されたまたは記録される記録媒体に、前記記録されたまたは記録される複数個のデータの内の一個または複数個のデータを特定するためのリストを記録するリスト記録手段を備えた記録装置。
【請求項４５】  前記記録されたリストが出力され、
前記出力されたリストによって特定された一個または複数個のデータの内から、所定のデータが選択され、
前記選択された所定のデータが再生される請求項４４記載の記録装置。
【請求項４６】  複数個のデータが記録されたまたは記録される記録媒体に、前記記録されたまたは記録される複数個のデータの内の一個または複数個のデータを特定するためのリストを記録するリスト記録ステップを備えた記録方法。
【請求項４７】  請求項４６記載の記録方法の、複数個のデータが記録されたまたは記録される記録媒体に、前記記録されたまたは記録される複数個のデータの内の一個または複数個のデータを特定するためのリストを記録するリスト記録ステップをコンピュータに実行させるためのプログラム。
【請求項４８】  請求項４７記載のプログラムを担持した記録媒体であって、コンピュータにより処理可能な記録媒体。
【請求項４９】  複数個のデータが記録された記録媒体に記録された、前記記録された複数個のデータの内の一個または複数個のデータを特定するためのリストを出力するリスト出力手段と、
前記出力されたリストによって特定された一個または複数個のデータの内から、所定のデータを選択するデータ選択手段と、
前記選択された所定のデータを再生するデータ再生手段とを備えた再生装置。
【請求項５０】  複数個のデータが記録された記録媒体に記録された、前記記録された複数個のデータの内の一個または複数個のデータを特定するためのリストを出力するリスト出力ステップと、
前記出力されたリストによって特定された一個または複数個のデータの内から、所定のデータを選択するデータ選択ステップと、
前記選択された所定のデータを再生するデータ再生ステップとを備えた再生方法。
【請求項５１】  請求項５０記載の再生方法の、複数個のデータが記録された記録媒体に記録された、前記記録された複数個のデータの内の一個または複数個のデータを特定するためのリストを出力するリスト出力ステップと、前記出力されたリストによって特定された一個または複数個のデータの内から、所定のデータを選択するデータ選択ステップと、前記選択された所定のデータを再生するデータ再生ステップとをコンピュータに実行させるためのプログラム。
【請求項５２】  請求項５１記載のプログラムを担持した記録媒体であって、コンピュータにより処理可能な記録媒体。
【請求項５３】  複数個のデータと、前記複数個のデータの内の一個または複数個のデータを特定するためのリストとが記録された記録媒体。
【請求項５４】  前記記録されたリストが出力され、
前記出力されたリストによって特定された一個または複数個のデータの内から、所定のデータが選択され、
前記選択された所定のデータが再生される請求項５３記載の記録媒体。
【発明の詳細な説明】
【０００１】
【発明の属する技術分野】
本発明は、たとえばディジタルデータをファイルとして記録するために用いられる記録再生システム、記録装置、再生装置、記録媒体、記録再生方法、記録方法、再生方法、およびプログラムに関するものである。
【０００２】
【従来の技術】
携帯型再生機器を利用して視聴される音楽や映像のコンテンツが記録されたＣＤやＤＶＤは、元々、市販品またはレンタル品であった。
【０００３】
近年のＰＣの普及につれて、ＰＣユーザーは、音楽ＣＤからリッピングした音楽データ、インターネット経由でダウンロードした音声ファイルや映像ファイル（動画及び／または静止画）を、ファイル形式でＰＣのＨＤＤ上に保持するようになってきた。また、ＰＣユーザーは、ＰＣを用いて、これらの音声ファイルや映像ファイルをＣＤ−ＲやＣＤ−ＲＷに記録するようになってきた。
【０００４】
これらのファイルを再生できる携帯型再生機器、あるいは他のメディアを利用できる携帯型再生機器も現われている。
【０００５】
デジタル音声及び／又は映像データをファイル形式で記録する場合はデータを圧縮することが多く、圧縮により音声あるいは映像の品質を落とす可能性があっても、多くのコンテンツを１個のメディアに収められることがメリットである。
【０００６】
そして、音声データをファイル形式で格納する場合、ＭＰ３方式におけるＩＤ３タグを用いて、作曲者（テキストや写真など）、演奏者（テキストや写真など）や歌詞、その他のコメントなどの情報も同じファイルに格納できる。
【０００７】
静止画データの場合、ＥＸＩＦ方式を用いて、撮影したときのカメラの設定条件、使用したカメラ名、その他のコメントなどの情報も同じファイルに保持できる。
【０００８】
ＡＶＩファイル方式を用いた動画データにおいては、Ｈｅａｄｅｒと呼ばれる部分に、再生時間、映像の画面サイズやフレームレート、音声のサンプリング周波数やチャネル数などの情報が保持されている。
【０００９】
これらの情報は、ファイルを再生するときだけでなく、どのようなファイルであるかの確認や検索にも有用である。
【００１０】
なお、上述のような機能は、はじめに携帯型の再生機器に実装されたが、携帯型だけでなく据置型の再生機器にも実装されるようになった。
【００１１】
ＣＤ記録メディアでは、これらのファイルはＩＳＯ９６６０で規定されるファイルシステムにしたがって管理され、ＰＣで指定した通りのディレクトリが構成され、各ファイルはディレクトリのどれかに所属する形で記録される。
【００１２】
このように作成されたＣＤ記録メディアを従来の携帯型再生機器で再生しようとするときには、まず、そのＣＤ記録メディアに何が記録されているかが調べられる。
【００１３】
そのために、ファイルシステムに基づき、ルートディレクトリからディレクトリ構造や各ディレクトリに所属するファイルを表示する。
【００１４】
そして、再生したいファイルがユーザーにより選択されると、選択されたファイルの記録位置が調べられ、そのファイルの再生が開始される。
【００１５】
【発明が解決しようとする課題】
しかしながら、上述した従来の再生機器においては、つぎのような弊害があった。
【００１６】
１）特に記録メディアがコンパクトフラッシュのようなメモリではなく、ＣＤやＤＶＤのようなディスクメディアである場合、従来の再生機器のデータ読み書き速度は、ＰＣのＨＤＤの読み書き速度と比べて非常に遅い。
【００１７】
２）ディレクトリ名やファイル名などのメディアの内容を表示する再生機器の能力は、ＰＣのそれと比べて落ちる。
【００１８】
３）携帯型再生機器は、ディスプレイが小さく、カラー表示ができないのが通常である。リモコンまたは本体のどちらかにしかディスプレイを持たない機器も多く、ディスプレイなしで操作しなければならないこともある。
【００１９】
４）再生機器の入力手段は、ＰＣのそれと比較して貧弱である。
【００２０】
また、ＰＣで使われることを前提として記述されたファイルシステムに基づき記録されたメディアを、従来の再生機器で再生するため、つぎのような弊害もあった。
【００２１】
１）メディアを再生機器に投入してから記録された内容が表示されるまでに時間が掛かる。
【００２２】
２）ＰＣで使用される各ファイルに関する情報（プロパティなど）を表示するには、各ファイル内の情報を読み取る必要があり、さらに時間が掛かる。
【００２３】
３）表示された記録内容がわかりにくい。
【００２４】
４）再生したいデータを探すことは困難である。
【００２５】
５）記録するときにＰＣがＰＣの基準で選択した順序（アルファベット順など）でファイルがメディアに記録されていくので、再生順序がめちゃくちゃになる。
【００２６】
６）機器のユーザビリティが良くない。
【００２７】
本発明は、上記従来のこのような課題を考慮し、よりユーザの意図に応じた形態でデータの再生を行うことができる記録再生システム、記録装置、再生装置、記録媒体、記録再生方法、記録方法、再生方法、およびプログラムを提供することを目的とするものである。
【００２８】
【課題を解決するための手段】
第１の本発明は、複数個のデータが記録されたまたは記録される記録媒体と、
前記記録されたまたは記録される複数個のデータの内から、所定のデータを選択するデータ選択手段と、
前記記録媒体に、前記選択された所定のデータを特定するための一個または複数個のリストを記録するリスト記録手段と、
前記記録された一個または複数個のリストに基づいて、前記リストによって特定された所定のデータを再生するデータ再生手段とを備えた記録再生システムである。
【００２９】
第２の本発明は、前記記録媒体に、前記一個または複数個のリストによって特定された所定のデータに関連するデータ関連情報に関するデータ関連情報データを記録するデータ関連情報データ記録手段をさらに備えた第１の本発明の記録再生システムである。
【００３０】
第３の本発明は、前記記録媒体に、前記一個または複数個のリストに関するリストデータを記録するリストデータ記録手段をさらに備えた第１の本発明の記録再生システムである。
【００３１】
第４の本発明は、前記リストデータは、（ａ）前記一個または複数個のリストが記録された位置に関するリスト記録位置データ、（ｂ）前記一個または複数個のリストの個数に関するリスト個数データ、（ｃ）前記一個または複数個のリストによって特定された所定のデータの種類別の個数に関するデータ種類別個数データ、（ｄ）前記一個または複数個のリストによって特定された所定のデータが記録された位置に関するデータ記録位置データ、および（ｅ）前記一個または複数個のリストによって特定された所定のデータに関連するデータ関連情報に関するデータ関連情報データの内の全部または一部を含む第３の本発明の記録再生システムである。
【００３２】
第５の本発明は、前記記録媒体に、前記一個または複数個のリストによって特定された所定のデータに関連するデータ関連情報に関するデータ関連情報データを記録するデータ関連情報データ記録手段をさらに備え、
前記リストデータは、前記データ関連情報データが記録された位置に関するデータ関連情報データ記録位置データを含む第３の本発明の記録再生システムである。
【００３３】
第６の本発明は、記録媒体に記録されたまたは記録される複数個のデータの内から、所定のデータを選択するデータ選択ステップと、
前記記録媒体に、前記選択された所定のデータを特定するための一個または複数個のリストを記録するリスト記録ステップと、
前記記録された一個または複数個のリストに基づいて、前記リストによって特定された所定のデータを再生するデータ再生ステップとを備えた記録再生方法である。
【００３４】
第７の本発明は、第６の本発明の記録再生方法の、記録媒体に記録されたまたは記録される複数個のデータの内から、所定のデータを選択するデータ選択ステップと、前記記録媒体に、前記選択された所定のデータを特定するための一個または複数個のリストを記録するリスト記録ステップと、前記記録された一個または複数個のリストに基づいて、前記リストによって特定された所定のデータを再生するデータ再生ステップとをコンピュータに実行させるためのプログラムである。
【００３５】
第８の本発明は、第７の本発明のプログラムを担持した記録媒体であって、コンピュータにより処理可能な記録媒体である。
【００３６】
第９の本発明は、記録媒体に記録されたまたは記録される複数個のデータの内から、所定のデータを選択するデータ選択手段と、
前記記録媒体に、前記選択された所定のデータを特定するための一個または複数個のリストを記録するリスト記録手段とを備えた記録装置である。
【００３７】
第１０の本発明は、前記記録された一個または複数個のリストに基づいて、前記リストによって特定された所定のデータが再生される第９の本発明の記録装置である。
【００３８】
第１１の本発明は、記録媒体に記録されたまたは記録される複数個のデータの内から、所定のデータを選択するデータ選択ステップと、
前記記録媒体に、前記選択された所定のデータを特定するための一個または複数個のリストを記録するリスト記録ステップとを備えた記録方法である。
【００３９】
第１２の本発明は、第１１の本発明の記録方法の、記録媒体に記録されたまたは記録される複数個のデータの内から、所定のデータを選択するデータ選択ステップと、前記記録媒体に、前記選択された所定のデータを特定するための一個または複数個のリストを記録するリスト記録ステップとをコンピュータに実行させるためのプログラムである。
【００４０】
第１３の本発明は、第１２の本発明のプログラムを担持した記録媒体であって、コンピュータにより処理可能な記録媒体である。
【００４１】
第１４の本発明は、記録媒体に記録された、前記記録媒体に記録された複数個のデータの内から選択された所定のデータを特定するための一個または複数個のリストに基づいて、前記リストによって特定された所定のデータを再生するデータ再生手段を備えた再生装置である。
【００４２】
第１５の本発明は、記録媒体に記録された、前記記録媒体に記録された複数個のデータの内から選択された所定のデータを特定するための一個または複数個のリストに基づいて、前記リストによって特定された所定のデータを再生するデータ再生ステップを備えた再生方法である。
【００４３】
第１６の本発明は、第１５の本発明の再生方法の、記録媒体に記録された、前記記録媒体に記録された複数個のデータの内から選択された所定のデータを特定するための一個または複数個のリストに基づいて、前記リストによって特定された所定のデータを再生するデータ再生ステップをコンピュータに実行させるためのプログラムである。
【００４４】
第１７の本発明は、第１６の本発明のプログラムを担持した記録媒体であって、コンピュータにより処理可能な記録媒体である。
【００４５】
第１８の本発明は、複数個のデータと、前記複数個のデータの内から選択された所定のデータを特定するための一個または複数個のリストとが記録された記録媒体である。
【００４６】
第１９の本発明は、前記記録された一個または複数個のリストに基づいて、前記リストによって特定された所定のデータが再生される第１８の本発明の記録媒体である。
【００４７】
第２０の本発明は、複数個のデータが記録されたまたは記録される記録媒体と、
前記記録媒体に、前記記録されたまたは記録される複数個のデータの内の所定のデータの再生順序を指定するための再生順序指定データを記録する再生順序指定データ記録手段と、
前記記録された再生順序指定データに基づいて、前記再生順序指定データによって前記再生順序が指定された所定のデータを再生するデータ再生手段とを備えた記録再生システムである。
【００４８】
第２１の本発明は、複数個のデータが記録されたまたは記録される記録媒体に、前記記録されたまたは記録される複数個のデータの内の所定のデータの再生順序を指定するための再生順序指定データを記録する再生順序指定データ記録ステップと、
前記記録された再生順序指定データに基づいて、前記再生順序指定データによって前記再生順序が指定された所定のデータを再生するデータ再生ステップとを備えた記録再生方法である。
【００４９】
第２２の本発明は、第２１の本発明の記録再生方法の、複数個のデータが記録されたまたは記録される記録媒体に、前記記録されたまたは記録される複数個のデータの内の所定のデータの再生順序を指定するための再生順序指定データを記録する再生順序指定データ記録ステップと、前記記録された再生順序指定データに基づいて、前記再生順序指定データによって前記再生順序が指定された所定のデータを再生するデータ再生ステップとをコンピュータに実行させるためのプログラムである。
【００５０】
第２３の本発明は、第２２の本発明のプログラムを担持した記録媒体であって、コンピュータにより処理可能な記録媒体である。
【００５１】
第２４の本発明は、複数個のデータが記録されたまたは記録される記録媒体に、前記記録されたまたは記録される複数個のデータの内の所定のデータの再生順序を指定するための再生順序指定データを記録する再生順序指定データ記録手段を備えた記録装置である。
【００５２】
第２５の本発明は、前記記録された再生順序指定データに基づいて、前記再生順序指定データによって前記再生順序が指定された所定のデータが再生される第２４の本発明の記録装置である。
【００５３】
第２６の本発明は、複数個のデータが記録されたまたは記録される記録媒体に、前記記録されたまたは記録される複数個のデータの内の所定のデータの再生順序を指定するための再生順序指定データを記録する再生順序指定データ記録ステップを備えた記録方法である。
【００５４】
第２７の本発明は、第２６の本発明の記録方法の、複数個のデータが記録されたまたは記録される記録媒体に、前記記録されたまたは記録される複数個のデータの内の所定のデータの再生順序を指定するための再生順序指定データを記録する再生順序指定データ記録ステップをコンピュータに実行させるためのプログラムである。
【００５５】
第２８の本発明は、第２７の本発明のプログラムを担持した記録媒体であって、コンピュータにより処理可能な記録媒体である。
【００５６】
第２９の本発明は、複数個のデータが記録された記録媒体に記録された、前記記録された複数個のデータの内の所定のデータの再生順序を指定するための再生順序指定データに基づいて、前記再生順序指定データによって前記再生順序が指定された所定のデータを再生するデータ再生手段を備えた再生装置である。
【００５７】
第３０の本発明は、複数個のデータが記録された記録媒体に記録された、前記記録された複数個のデータの内の所定のデータの再生順序を指定するための再生順序指定データに基づいて、前記再生順序指定データによって前記再生順序が指定された所定のデータを再生するデータ再生ステップを備えた再生方法である。
【００５８】
第３１の本発明は、第３０の本発明の再生方法の、複数個のデータが記録された記録媒体に記録された、前記記録された複数個のデータの内の所定のデータの再生順序を指定するための再生順序指定データに基づいて、前記再生順序指定データによって前記再生順序が指定された所定のデータを再生するデータ再生ステップをコンピュータに実行させるためのプログラムである。
【００５９】
第３２の本発明は、第３１の本発明のプログラムを担持した記録媒体であって、コンピュータにより処理可能な記録媒体である。
【００６０】
第３３の本発明は、複数個のデータと、前記複数個のデータの内の所定のデータの再生順序を指定するための再生順序指定データとが記録された記録媒体である。
【００６１】
第３４の本発明は、前記記録された再生順序指定データに基づいて、前記再生順序指定データによって前記再生順序が指定された所定のデータが再生される第３３の本発明の記録媒体である。
【００６２】
第３５の本発明は、複数個のデータが記録されたまたは記録される記録媒体と、
前記記録媒体に、前記記録されたまたは記録される複数個のデータの内の一個または複数個のデータを特定するためのリストを記録するリスト記録手段と、
前記記録されたリストを出力するリスト出力手段と、
前記出力されたリストによって特定された一個または複数個のデータの内から、所定のデータを選択するデータ選択手段と、
前記選択された所定のデータを再生するデータ再生手段とを備えた記録再生システムである。
【００６３】
第３６の本発明は、前記選択された所定のデータの再生順序を指定する再生順序指定手段をさらに備えた第３５の本発明の記録再生システムである。
【００６４】
第３７の本発明は、前記リスト記録手段は、複数個のデータを特定するためのリストを記録し、
前記データ選択手段は、複数個のデータを選択し、
前記再生順序指定手段は、前記選択された複数個のデータの再生順序を指定し、
前記データ再生手段は、前記指定された再生順序に基づいて、前記再生順序が指定された複数個のデータを再生する第３６の本発明の記録再生システムである。
【００６５】
第３８の本発明は、前記記録媒体に、前記リストの内容に関するリスト内容データを記録するリスト内容データ記録手段をさらに備え、
前記リストは、前記リスト内容データが記録された位置に関するリスト内容データ記録位置データをもつ第３５の本発明の記録再生システムである。
【００６６】
第３９の本発明は、前記リスト内容データは、前記リストの内容に関する音声出力を行うための音声データであり、
前記リスト出力手段は、前記リスト内容データ記録位置データに基づいて前記リスト内容データを読み出し、前記リストの内容に関する音声出力によって前記記録されたリストを出力する第３８の本発明の記録再生システムである。
【００６７】
第４０の本発明は、前記リストによって特定された一個または複数個のデータの全部または一部は、音声データであり、
前記リスト内容データは、前記リストによって特定された一個または複数個のデータの全部または一部を利用して生成された音声データである第３９の本発明の記録再生システムである。
【００６８】
第４１の本発明は、複数個のデータが記録されたまたは記録される記録媒体に、前記記録されたまたは記録される複数個のデータの内の一個または複数個のデータを特定するためのリストを記録するリスト記録ステップと、
前記記録されたリストを出力するリスト出力ステップと、
前記出力されたリストによって特定された一個または複数個のデータの内から、所定のデータを選択するデータ選択ステップと、
前記選択された所定のデータを再生するデータ再生ステップとを備えた記録再生方法である。
【００６９】
第４２の本発明は、第４１の本発明の記録再生方法の、複数個のデータが記録されたまたは記録される記録媒体に、前記記録されたまたは記録される複数個のデータの内の一個または複数個のデータを特定するためのリストを記録するリスト記録ステップと、前記記録されたリストを出力するリスト出力ステップと、前記出力されたリストによって特定された一個または複数個のデータの内から、所定のデータを選択するデータ選択ステップと、前記選択された所定のデータを再生するデータ再生ステップとをコンピュータに実行させるためのプログラムである。
【００７０】
第４３の本発明は、第４２の本発明のプログラムを担持した記録媒体であって、コンピュータにより処理可能な記録媒体である。
【００７１】
第４４の本発明は、複数個のデータが記録されたまたは記録される記録媒体に、前記記録されたまたは記録される複数個のデータの内の一個または複数個のデータを特定するためのリストを記録するリスト記録手段を備えた記録装置である。
【００７２】
第４５の本発明は、前記記録されたリストが出力され、
前記出力されたリストによって特定された一個または複数個のデータの内から、所定のデータが選択され、
前記選択された所定のデータが再生される第４４の本発明の記録装置である。
【００７３】
第４６の本発明は、複数個のデータが記録されたまたは記録される記録媒体に、前記記録されたまたは記録される複数個のデータの内の一個または複数個のデータを特定するためのリストを記録するリスト記録ステップを備えた記録方法である。
【００７４】
第４７の本発明は、第４６の本発明の記録方法の、複数個のデータが記録されたまたは記録される記録媒体に、前記記録されたまたは記録される複数個のデータの内の一個または複数個のデータを特定するためのリストを記録するリスト記録ステップをコンピュータに実行させるためのプログラムである。
【００７５】
第４８の本発明は、第４７の本発明のプログラムを担持した記録媒体であって、コンピュータにより処理可能な記録媒体である。
【００７６】
第４９の本発明は、複数個のデータが記録された記録媒体に記録された、前記記録された複数個のデータの内の一個または複数個のデータを特定するためのリストを出力するリスト出力手段と、
前記出力されたリストによって特定された一個または複数個のデータの内から、所定のデータを選択するデータ選択手段と、
前記選択された所定のデータを再生するデータ再生手段とを備えた再生装置である。
【００７７】
第５０の本発明は、複数個のデータが記録された記録媒体に記録された、前記記録された複数個のデータの内の一個または複数個のデータを特定するためのリストを出力するリスト出力ステップと、
前記出力されたリストによって特定された一個または複数個のデータの内から、所定のデータを選択するデータ選択ステップと、
前記選択された所定のデータを再生するデータ再生ステップとを備えた再生方法である。
【００７８】
第５１の本発明は、第５０の本発明の再生方法の、複数個のデータが記録された記録媒体に記録された、前記記録された複数個のデータの内の一個または複数個のデータを特定するためのリストを出力するリスト出力ステップと、前記出力されたリストによって特定された一個または複数個のデータの内から、所定のデータを選択するデータ選択ステップと、前記選択された所定のデータを再生するデータ再生ステップとをコンピュータに実行させるためのプログラムである。
【００７９】
第５２の本発明は、第５１の本発明のプログラムを担持した記録媒体であって、コンピュータにより処理可能な記録媒体である。
【００８０】
第５３の本発明は、複数個のデータと、前記複数個のデータの内の一個または複数個のデータを特定するためのリストとが記録された記録媒体である。
【００８１】
第５４の本発明は、前記記録されたリストが出力され、
前記出力されたリストによって特定された一個または複数個のデータの内から、所定のデータが選択され、
前記選択された所定のデータが再生される第５３の本発明の記録媒体である。
【００８２】
【発明の実施の形態】
以下に、本発明にかかる実施の形態について、図面を参照しつつ説明を行う。
【００８３】
（実施の形態１）
はじめに、本発明の実施の形態１の記録再生システムの構成図である図１を参照しながら、本実施の形態の記録再生システムの構成について説明する。
【００８４】
１０は記録装置、１１は書込みファイル管理手段、１２は内部記憶手段、１３はデータファイル群、１４はファイル記録手段、１５は記録メディア、１６は記述ファイル、１７はリンクファイル群、２０は再生装置、２１は制御手段、２２は再生指示手段、２３はファイル再生手段、２４はデータファイル出力手段である。
【００８５】
記録メディア１５には、書込みファイル管理手段１１、内部記憶手段１２、ファイル記録手段１４から構成される記録装置１０によりデータファイルが記録される。
【００８６】
そして、データファイルが記録された記録メディア１５は、制御手段２１、再生指示手段２２、ファイル再生手段２３、データファイル出力手段２４から構成される再生装置２０で、再生される。
【００８７】
記述ファイル１６に登録する情報は、たとえば、表１に記述した内容である。
【００８８】
【表１】
2003330777.tif 000001
【００８９】
ファイルに関する情報としては、まず、ＦＡＴ３２などのファイルシステムに登録されている情報（拡張子、ファイル名、ファイルサイズ、ファイル作成、および更新日時など）が存在する。
【００９０】
これら各ファイル固有の情報は、変えられない、または変えるべきものではない。拡張子は変更できないわけではないが、拡張子によりファイルタイプを見分けているので、拡張子を変更するとデータを処理する方法がわからなくなり、データを再生できなくなってしまう。
【００９１】
ファイルが内蔵しているそのファイルのデータに関連する情報としては、つぎのようなものがある。
【００９２】
（ａ）動画データに関しては、ＡＶＩファイル形式やｗｍｖファイル形式やａｓｆファイル形式におけるヘッダ情報として、そのファイルの映像データを規定する画像サイズ、フレームレート、データレート、エンコード情報、デュレーションなどが書き込まれている。
【００９３】
（ｂ）音声データに関しては、ＡＶＩファイル形式やｗｍａファイル形式やａｓｆファイル形式におけるヘッダ情報として、そのファイルの音声データを規定するサンプリング周波数、チャネル数、圧縮方式情報、デュレーション、データレートなどが書き込まれている。また、ＭＰ３ファイル形式におけるヘッダ情報として、ＩＤ３  ＴＡＧにある作曲者や演奏者に関するテキスト情報、歌詞情報、アルバムジャケットの写真などが書き込まれている。
【００９４】
（ｃ）静止画データに関しては、ＥＸＩＦファイル方式のような撮影状況の情報、撮影したカメラの情報などが書き込まれている。
【００９５】
これらの情報のうち、データそのものを規定する（いわゆる必須のアトリビュートな）ファイル固有の情報は、変更するとデータを正しく再生できなくなる。
【００９６】
これに対し、テキスト情報などは、元々オプショナルであり、これらの情報が保持されていなくても何の問題もない。正しくない内容のデータが保持されていれば、その情報が正しくないために検索に利用した場合などに間違った結果になることはあるが、他の悪影響はない。
【００９７】
実際、タイトルや歌詞などのテキストは、言語（たとえば、日本語、英語など）によって同じではない。また、関連のＵＲＬ情報に至っては、登録した時点では正しくとも、そのＵＲＬで示されるサイトが移動したり消滅したりする可能性がある。映像・音声データだけでなく、通常のドキュメントファイルでも、コメントやサムネールといった同様の情報を持っている。
【００９８】
なお、上記の情報は、データファイルが内部記憶手段１２に存在している時点で既存の情報である。
【００９９】
なお、本実施の形態の各手段のより詳細な構成などについては、後に説明する。
【０１００】
つぎに、本実施の形態の記録再生システムの動作について説明する。なお、本実施の形態の記録再生システムの動作について説明しながら、本発明の記録再生方法の一実施の形態についても説明する（以下の実施の形態に関しても、同様である）。
【０１０１】
ファイル管理手段１１は、各データファイルに関連する情報であり、データファイルと別のファイルとして記録しようとする情報をリンクファイル群１７のリンクファイルとする。そして、ファイル管理手段１１は、データファイル群１３のデータファイルに関連する情報や、リンクファイル群１７のリンクファイルの情報が記述された記述ファイル１６を生成する。
【０１０２】
書込みファイル管理手段１１は、データファイルが内部記録手段１２に存在している時点で既存の情報以外にも、新規にデータファイル１３に関連した情報やリンクファイル１７を集めて記述ファイル１６を作成することも可能である。
【０１０３】
ファイル記録手段１４は、これらのデータファイル群１３、リンクファイル群１７、記述ファイル１６を記録メディア１５に記録する。
【０１０４】
再生装置２０の動作；制御手段２１は、ファイル再生手段２３から再生した記述ファイル１６に基づき、記録メディアの内容リストを表示する。
【０１０５】
そして、制御手段２１は、出力するデータファイル群１３のデータファイルを再生指示手段２２からの指示にしたがって選択し、データファイル出力手段２４により選択されたデータファイルのデータをファイル形式から出力信号に変換して変換後の出力信号を出力する。
【０１０６】
また、再生装置では、再生指示手段２２としてリモコンによる指示を前提として再生するように記述しているが、本体に取り付けたパネルなどによる指示によっても、同等の機能が実現できることは明らかである。あるいは、指示がなければ、記述ファイル１６で指定されている順序で自動的に再生する機能を再生装置に持たせることも可能である。
【０１０７】
また、再生装置による記録メディアの内容リストの表示形式は、任意である。もちろん、記録メディアの内容の表示を行うための手段は、データファイル出力手段２４と兼用することも可能である。
【０１０８】
かくして、必要な関連情報の一カ所（すなわち記述ファイル１６における）集中記録により、記録メディア上の記述ファイル１６にアクセスし、一括して読み出すだけで済むので、記録メディアの内容の表示が速くできる。また、様々な関連情報も同時に表示できるので、各データファイルの内容を簡単に把握でき、再生したいデータファイルを容易に探し出すことが可能になる。また、関連情報が一カ所（すなわち記述ファイル１６における）に集中しており、データファイルを１個１個調べていく必要がないので、まず内容リストの表示を行いそれに続いて選択されたファイルの再生を行うという処理だけではなく、条件検索などの機能も簡単に実現できるようになる。
【０１０９】
つぎに、本実施の形態の各手段のより詳細な構成などについて説明する。
【０１１０】
[１]書込みファイル管理手段１１のより詳細な構成および動作について、本発明の実施の形態１の書込みファイル管理手段１１の構成図である図２を参照しながら説明する。
【０１１１】
３１は書込みファイル選択手段、３２はファイル情報抽出手段、３３は記述ファイル生成手段である。
【０１１２】
まず、書込みファイル選択手段３１は、記録メディア１５に記録しようとするデータファイル群１３のデータファイルを選択する（ユーザーによって１個１個選択されてもよいし、何らかの基準で自動的に選択されてもよい）。
【０１１３】
ファイル情報抽出手段３２は、選択されたデータファイル群１３のデータファイルのそれぞれに関連する情報を、ファイルシステムにアクセスしたり、各ファイルの内容を所定の手順で解析したりして抽出する。
【０１１４】
記述ファイル生成手段３３は、得られた情報から記述ファイル１６を生成する。
【０１１５】
また、記述ファイル生成手段３３は、得られた情報から、データファイル群１３のデータファイルとは別のファイルとして、リンクファイル群１７のリンクファイルを生成する（リンクファイルは、たとえば音声ファイルの場合においては、アルバムジャケットの写真などの情報を格納する）。
【０１１６】
なお、書込みファイル管理手段は、本発明の別の実施の形態の書込みファイル管理手段の構成図である図３に示されている書込みファイル管理手段１１′の構成を有していてもよい。
【０１１７】
ここに、３４は付加情報入力選択手段、３５は記述ファイル生成手段である。
【０１１８】
書込みファイル選択手段３１、ファイル情報抽出手段３２の構成および動作は、上述の通りである。
【０１１９】
付加情報入力選択手段３４は、記録メディア１５に記録するために選択されたデータファイル群１３のデータファイルに付加しようとする関連情報やリンクファイル１７ａ、１７ｂに対する設定を行う。もちろん、付加情報入力選択手段３４は、ユーザーによるファイルごとの関連情報やリンクファイル１７ａ、１７ｂのマニュアル設定に応じて動作してもよいし、何らかの基準を利用する自動的な設定に応じて動作してもよい。
【０１２０】
記述ファイル生成手段３５は、ファイル情報抽出手段３２、付加情報入力選択手段３４の双方から得られた情報を利用して、記述ファイル１６を生成する。また、記述ファイル生成手段３５は、写真、歌詞、イントロデータなどの情報をもつ、データファイル群１３のデータファイルとは別のリンクファイル１７ａ、１７ｂを生成する。
【０１２１】
関連情報として映像データファイルもより容易に扱えるようになり、さらにデータファイル群１３のデータファイルの内容をより把握しやすくすることが可能である。リンクファイル１７ｂは、ファイル情報抽出手段３２によって抽出されたデータや付加情報入力選択手段３４によって集められたデータのような情報を含んでいてもよい。たとえば、ファイル情報抽出手段３２は、ファイルからＵＲＬを抽出して関連するウェブページに置かれている適切なデータを取得してもよい。
【０１２２】
[２]制御手段２１のより詳細な構成および動作について、本発明の実施の形態１の制御手段２１の構成図である図４を参照しながら説明する。
【０１２３】
４１は記述ファイル解析手段、４２は記録メディアの内容リスト、４３は出力ファイル選択手段である。
【０１２４】
記述ファイル解析手段４１は、記録メディア１５から読み出した記述ファイル１６の内容を解析し、再生装置２０の機能に応じて必要な情報を記録メディアの内容リスト４２に書込む。そして、記述ファイル解析手段４１は、その記録メディアの内容リスト４２を元に、記録メディア１５の内容を表示する。
【０１２５】
具体的には、記録されているデータファイルのリストや、関連情報が表示される。
【０１２６】
出力ファイル選択手段４３は、出力を指示されたデータファイル群１３のデータファイルの記録位置など再生に必要な情報を、記録メディアの内容リスト４２から読み出して、ファイル再生手段２３に送る。
【０１２７】
[３]記述ファイル１６のより詳細な構成について、本発明の実施の形態１の記述ファイル１６の説明図である図５を参照しながら説明する。
【０１２８】
記述ファイル１６は、ＨＴＭＬ（Ｈｙｐｅｒ  Ｔｅｘｔ  Ｍａｒｋ−ｕｐ  Ｌａｎｇｕａｇｅ）に類似した形式で記述されている。
【０１２９】
ここに、記述ファイル１６は、構成Ａ１のような構成を有している。なお、構成Ａ１における「各“プレイリストエントリ”の記述  」は、構成Ａ２のような構成を有している。また、構成Ａ１における「各“ファイルエントリ”の記述  」（計三カ所）は、構成Ａ３の繰り返されたような構成をそれぞれ有している。また、構成Ａ３における「“データ種類別に応じたエントリ”の記述」は、構成Ａ３１〜Ａ３３の何れかのような構成を有している。
【０１３０】
まず、記録メディア１５全体に関する情報は、メディアエントリとして記述される。
【０１３１】
このような情報としては、この記述ファイル形式のフォーマットバージョン情報、プレイリスト数などがある。
【０１３２】
このような記述ファイル１６のフォーマットは、記述したい情報が多くなるにしたがいバージョンアップされるため、再生装置側でそのフォーマットに対応できるかどうかを判別する情報が必要である。そこで、この記述ファイル形式のフォーマットバージョン情報が用意される。より具体的には、記述ファイルは、（たとえば、書きたいデータの量が増えたなどの理由で）フォーマットバージョンが更新される可能性を考慮して、その記述に利用されるフォーマットバージョンに関する情報を含んでいてもよい。
【０１３３】
また、再生する順序を指定したプレイリストが用意される（このようなプレイリストがない場合には、（ａ）物理的に記録されている順序、（ｂ）ランダム、（ｃ）ファイル名などの順序が、データファイル群１３のデータファイルを再生する順序として利用される）。
【０１３４】
本実施の形態においては、記述ファイル１６に（複数の）プレイリストが書き込まれている。
【０１３５】
多くのデータファイルが記録メディア１５に記録されている場合、いつも同じ順序で全部のデータファイルを再生するのは、実用的ではないと考えられる。複数のプレイリストを用意しておき、そのときに再生したいプレイリストを選択することで、再生しようとするデータファイル群１３のデータファイルを簡単に選択することができる。すると、プレイリスト作成者の意図が反映された再生順序での再生が、可能になる。
【０１３６】
プレイリストには、データファイル群１３のデータファイルごとに生成されるファイルエントリが、データファイル群１３のデータファイルの再生順序にしたがって記述されている。
【０１３７】
プレイリストは、ＤｅｆａｕｌｔとＯｐｔｉｏｎａｌの二種類に分類されている。
【０１３８】
Ｄｅｆａｕｌｔのプレイリストには、記録メディア１５上のデータファイル群１３の全てのデータファイルのファイルエントリが必ず１回だけ登録されるようにする。Ｄｅｆａｕｌｔのプレイリストさえあれば、（Ｏｐｔｉｏｎａｌのプレイリストがなくても）全てのデータファイル群１３のデータファイルの再生が可能である。
【０１３９】
Ｏｐｔｉｏｎａｌのプレイリストには、すべてのファイルを登録する必要はない。もちろん、同じデータファイル群１３のデータファイルを複数回再生したい場合には、データファイル群１３のデータファイル自体を複数個記録するのではなく、Ｏｐｔｉｏｎａｌのプレイリストにおいて同じファイルエントリを複数回記録すればよい。すると、記録メディア１５の有限な容量を効率よく利用できる。
【０１４０】
もちろん、ファイルに関する情報を含むリンクファイルは容量が大きいが、そのようなリンクファイルの情報はファイルエントリには含まれないから、記述ファイル全体の容量は抑えられる。
【０１４１】
また、プレイリスト数が多く、同じファイルの指定が非常に多い時には、Ｄｅｆａｕｌｔのプレイリストで記述されたファイルエントリヘのリンク先の記述をＯｐｔｉｏｎａｌのプレイリストに行ってもよい。ただし、このようなＤｅｆａｕｌｔのプレイリストで記述されたファイルエントリヘのリンク先の記述をＯｐｔｉｏｎａｌのブレイリストに行った場合には、記述ファイル全体の容量は削減できるが、プレイリストを構成するファイルの一覧表示を再生装置で行なう際の処理速度はやや遅くなる。
【０１４２】
メディアエントリには、プレイリスト数が記述されている。
【０１４３】
また、メディアエントリが読み出されて解析された後に、プレイリストごとに生成されるプレイリストエントリも読み出されて解析され、記録メディア１５に記録されているデータファイル群１３のデータファイルのおよその内容を把握することが可能になる。
【０１４４】
プレイリストエントリには、そのプレイリストがどのようなデータファイルから構成されているのかができるだけ簡単に判明するようなプレイリスト名をつけるとよい。記録メディア１５の内容の把握が、ユーザにとってより簡単になる。
【０１４５】
また、そのプレイリストのプレイリスト情報記録位置も、プレイリストエントリに記述しておくとよい。プレイリストが選択されたときに、直ぐにその内容の詳細情報の読み出しや解析を行なうことが可能になる。
【０１４６】
各プレイリストには、データ種類別に、（１）データファイル数や、（２）ファイルエントリを再生順に並べたコンテンツリストが、プレイリスト情報として記述される。
【０１４７】
たとえば、音声データのみ再生できる再生装置で記録メディア１５を再生しようとした場合、音声ファイルの内容のみ確認すればよい。データ種類別にデータファイル数が記述されているため、再生可能なデータファイルがあるかないかを即座に判断できる。
【０１４８】
もちろん、いわゆるフラグ情報が、再生可能なデータファイルがあるかないかの判断を行うために利用されてもよい。また、データ種類別のファイル数がメディアエントリに記述されていれば、メディア全体において再生可能なデータファイルがあるかないかを最初に判断できる。
【０１４９】
ファイルエントリには、データファイルの種類別によらない共通な情報として、ファイルサイズ、データファイル名（複数回登録されているデータファイルが、相異なる名前で登録されてもよい）、ファイルタイプ、ファイル記録位置情報、著作権情報などが登録される。
【０１５０】
ファイル記録位置情報は、たとえば、そのファイルの最初の１バイトが記録されている記録メディアの物理的な位置アドレス（ＣＤ−Ｒであれば、ＬＳＮ（Ｌｏｇｉｃａｌ  Ｓｅｃｔｏｒ  Ｎｕｍｂｅｒ）など）を利用して登録するようにする。すると、他の情報を解析せずに、直接その位置にアクセスして、ファイルを読み出せる。このため、データファイルの読み出しを速くする（たとえば、再生開始までの待ち時間を少なくする）ことができる。なお、ＣＤ記録メディア上のように記録が物理的に連続して行われている場合においては、ファイルのサイズ分の読出しが終了した位置がそのファイルの終端であることは、いうまでもない。
【０１５１】
もちろん、記述ファイル１６を生成する時点で物理アドレスがわからない場合でも、一括してファイルが記録されるので、特定の位置からの相対位置が決定される。そのため、そのような情報を用いることにより、データファイルの読み出しを速くすることが可能である。
【０１５２】
データファイルの内容に関する情報は、データファイルの種類別によって異なる。データファイルが音声データを格納する場合、ファイルエントリの音声エントリにおいて、デュレーション、データレート、圧縮方式情報、サンプリング周波数、チャネル数などが登録される。データファイルが映像データを格納する場合、ファイルエントリの映像エントリにおいて、デュレーション、データレート、圧縮方式情報、画像サイズ、フレームレート、（映像データと同時に再生されるべき）音声データに関する情報などが登録される。データファイルが静止画データを格納する場合、ファイルエントリの写真エントリにおいて圧縮方式情報、画像サイズ、撮影状況（シャッタースピード、絞り、フォーカス、使用フィルタ、ガンマ補正など）に関する情報などが登録される。
【０１５３】
データファイルの内容に関する上述の情報は、各種類のデータファイルの内部にも記述されている情報である。しかしながら、再生装置でメディアに記録されているデータファイルをリスト表示する際に、各データファイルに対する読み出しや解析を行なっていると、非常に時間が掛かる。データファイルの内容に関する情報を１カ所にまとめておくと、これらの情報を利用する高速なリスト表示が可能になる。また、再生装置でデータファイルを再生できるかどうかの判断や、これらの情報を利用した検索なども、非常に高速に行なえるようになる。
【０１５４】
もちろん、データファイルの内容に関する情報としては、（１）データファイルが音楽データや映像データを格納する場合には、作曲者、演奏者（名前、関連するインターネットのサイトのＵＲＬ、場所、日時情報など）そのメディアの作成者がつけたコメントなど演奏そのものに関する情報が記述されてもよいし、（２）データファイルが静止画データを格納する場合には、撮影したカメラの機種名、撮影場所、撮影日時、メディアの作成者がつけたコメント，などが記述されてもよく、上述の情報はテキストエントリにテキスト情報として記述される。
【０１５５】
テキスト情報は、テキストデータ実体、テキストの内容を表わすコード、言語指定、テキストデータ長を組み合わせた形式で記述されてもよい。また、リンクファイル１７ａ、１７ｂ（図３参照）のリンク先情報は、リンクファイルの内容を表わすコード、ファイルタイプ、テキストデータ長、リンク先指定を組み合わせた形式で記述されてもよい。
【０１５６】
このようなプロパティを表示できる再生装置においては、データファイルの内容をより把握しやすくできる。また、高速検索の精度をより高くしていくことも可能になる。
【０１５７】
テキストエントリには、たとえば、各データファイルごとに記述したいテキストデータ情報数が登録される。各テキストデータ情報は、テキストの内容を表わすコード、テキスト情報長、テキスト情報実体を組み合わせた形式で記述する。
【０１５８】
データファイルの内容に関連した情報が、アルバムジャケット、作曲者や演奏者や撮影者の写真などのデータに関する場合には、サムネール画像などに関するリンクファイル情報が記述されたリンクエントリが設けられていてもよい。このようなデータを表示できる再生装置においては、そのデータファイルがどのような内容のファイルであったかがより把握しやすくなる。
【０１５９】
リンクファイルの数を示すリンクファイルカウントは、リンクエントリにおける各データファイルごとに登録される。リンクファイル情報は、リンクファイルの内容を表わすコード、ファイルサイズ、ファイルタイプ、ファイル記録位置情報、著作権情報（必要であれば）を組み合わせた形式で記述される。
【０１６０】
メディア全体に関するメディア情報として、メディアにつけた名前（Ｓｈｏｒｔ  ｎａｍｅがつけられていることもある）、メディアに付加するデータ（メディア表面の絵、メディアケースの絵、メディアと一緒に持ち運びできるようにしたリーフレットなど）、メディアの作成者の名前、メディアの作成年月日などが記述されていてもよい。なお、Ｓｈｏｒｔ  ｎａｍｅがつけられていると、表示画面サイズが小さく、長い名前を表示できない再生装置やスクロール表示を行う再生機器においても、一目で見てわかる表示が可能になる。
【０１６１】
上述の様々なデータは、記述ファイル１６内に内蔵されてもよい（たとえば、メディアエントリ内にすべて記述されていてもよいし、データ実体が記述ファイル１６内のメディアエントリとは別の部分に記録され、メディアエントリ内にはその別の部分へのリンク情報のみが記述されていてもよい）。また、上述の様々なデータは、データ実体が別ファイルとして記録メディア１５に記録され、記述ファイル１６にはその別ファイルへのリンク情報のみが記述されていてもよい。
【０１６２】
プレイリスト名にも前述のようなＳｈｏｒｔ  ｎａｍｅがつけられている場合には、再生機器側の表示画面サイズが小さくとも、一目で見てわかる表示が可能になる。
【０１６３】
データ種類別のデータファイル数は、プレイリスト情報として記述されていてもよいし、プレイリストエントリに記述されていてもよい。
【０１６４】
記述ファイル１６のファイルの形式は、ＨＴＭＬに類似した形式であってもよいし、設定された所定長を有する所定位置に割り当てられた情報が記述されていく形式であってもよい。
【０１６５】
記述ファイル１６のファイルの個数は、１個であってもよいし、複数であっててもよい。記述ファイル１６が複数のファイルに分割されている場合、再生装置の機能に応じて必要なファイルだけ使用できるので、不要なデータ解析が不要になる。
【０１６６】
テキストエントリやリンクエントリの構造も、任意であってよい。
【０１６７】
（実施の形態２）
つぎに、本発明の実施の形態２のガイド用音声データファイルの説明図である図６（ａ）、本発明の実施の形態２のガイド用音声データファイルのタイムテーブル５１の説明図である図６（ｂ）、および本発明の実施の形態２の再生装置の構成図である図６（ｃ）を参照しながら、本実施の形態の記録再生システムの構成について説明する。
【０１６８】
本実施の形態の記録再生システムの構成および動作は、前述した実施の形態１の記録再生システムの構成および動作に類似している。そこで、以下においては、両者の相違点について主として説明する。
【０１６９】
本実施の形態のガイド用音声データファイルは、図６（ａ）に示すように、表示される情報を音声出力できる形式でファイル化したファイルであり、データファイル群１３′のデータファイルの一つである。ガイド用音声データファイルは、各プレイリストや前述のメディア情報にリンクさせられている。
【０１７０】
より具体的には、データファイル名（図６（ａ）参照）を順番に読み上げるための１個のガイド用音声データファイルが、各プレイリスト（またはそのプレイリストエントリ）やメディア情報にリンクさせられている。
【０１７１】
図６（ａ）に示されているようなガイド用音声データファイルの、図６（ｂ）に示されているようなタイムテーブル５１には、（ｋ＋１）番目のデータファイルの（またはプレイリストの）名前や情報がガイド用音声データファイルの始めからｔk秒後に開始されることを示す情報が書かれている（ｋ＝０、・・・、ｎ−１）。もちろん、このような情報は、ガイド用音声データファイルの内部（ｈｅａｄｅｒ部など）に記述されていてもよい。
【０１７２】
本実施の形態の再生装置（図６（ｃ）参照）においては、データファイル及びガイド用音声データファイル出力手段５４が、ガイド用音声データファイルを再生する。
【０１７３】
指示タイミング検出手段５３は、ユーザが再生を希望するデータファイルの選択指示がガイド用音声データファイルの対応する部分が再生されているときに外部から入力されると、ガイド用音声データファイルの再生を行っているタイミングをタイムテーブル解析及び出力ファイル選択手段５２に入力する。
【０１７４】
タイムテーブル解析及び出力ファイル選択手段５２は、ガイド用音声データファイルのタイムテーブル５１を参照して、ガイド用音声データファイルの再生を行っているタイミングに応じて前述のユーザが再生を希望したデータファイルを適切に選択する。
【０１７５】
データファイル及びガイド用音声データファイル出力手段５４は、タイムテーブル解析及び出力ファイル選択手段５２によって選択されたデータファイルを再生する。
【０１７６】
本実施の形態の再生装置は、表示機能がない（あるいは表示機能が貧弱な）場合に適している。より具体的には、表示機能が実装されておらず音声データファイルの再生を主として行なうための再生装置が、想定されている。再生できる音声データファイルと同じ形式でガイド用音声データファイルを作成することにより、表示用ディスプレイなどのハードウェアをほとんど何も追加することなく、記録メディア１５′の内容をユーザに通知することができる。
【０１７７】
もちろん、ガイド用音声データファイルに保存するデータは、データファイルの特徴的な旋律のデータであってもよいし（データファイルが音楽データを格納する場合）、データファイル名やプレイリスト名以外の情報が追加されたデータであってもよい。
【０１７８】
以上においては、本実施の形態１〜２について詳細に説明を行った。
【０１７９】
なお、上述した実施の形態の記録再生システムは、記録装置が記録を行い、記録装置とは別のデバイスとして構成された再生装置が再生を行った。
【０１８０】
しかしながら、本発明の記録再生システムは、記録装置・再生装置が一体型のシステムであってもよい。
【０１８１】
もちろん、再生装置は、カラーＴＶモニターのような大きく見やすいものであってもよいし、携帯型再生機器のように、モノクロ表示しかできない小型のものやモニターがなく映像が表示できないものであってもよい。
【０１８２】
なお、再生機器がたとえ小型のモニターしか有しない場合であっても、データファイル名の表示を行うことにより、データファイルの選択がかなり容易になることがある。たとえば、データファイル名を一つずつ順番に読み上げると、所望のデータファイル名が読み上げられて、そのデータファイルの選択が行えるまでの待ち時間が、ある程度長くなってしまうことがある。データファイル名の表示を行うと、このような待ち時間は不要である。
【０１８３】
また、上述した実施の形態の記録再生システムは、書込みファイル管理手段とファイル記録手段とデータファイルを記憶している内部記憶手段とが一体化された記録装置を備えていた。
【０１８４】
しかしながら、本発明の記録再生システムは、ファイル記録手段としてのＣＤドライブ、内部記憶手段としてのハードディスクを備えたパーソナルコンピュータであってもよい。このとき、書込みファイル管理手段をプログラムを利用して実現することが可能である。
【０１８５】
もちろん、コンピュータやマイコンなどのプログラムを利用して記録を行い、その記録結果をフロッピーディスクなどの記録媒体に記録して持ち運び、独立した他のシステムが再生を行ってもよい。
【０１８６】
ここで、プログラムクレームの裏付けについて説明する。
【０１８７】
ここで、記録結果をフロッピーディスクなどの記録媒体に記録して持ち運ぶ場合について、より具体的に説明する。
【０１８８】
記録媒体の本体であるフロッピーディスクＦＤは、本発明の実施の形態のフロッピーディスクＦＤの物理フォーマットの説明図である図７（ａ）に示されている物理フォーマットを有している。
【０１８９】
より具体的には、同心円状に外周から内周に向かってトラックＴ１、Ｔ２、Ｔ３、…、Ｔ７９、Ｔ８０が作成され、角度方向に１６個のセクタＳ１、Ｓ２、…への分割が行われている。
【０１９０】
このような物理フォーマットを利用して、プログラムが記録される。
【０１９１】
フロッピーディスクＦＤは、本発明の実施の形態のフロッピーディスクＦＤを収納するフロッピーディスクケースＦＤＣの説明図である図７（ｂ）に示されているように、フロッピーディスクケースＦＤＣに収納される。
【０１９２】
かくして、フロッピーディスクＦＤをほこりや外部からの衝撃から守りつつ、安全に持ち運ぶことができる。
【０１９３】
フロッピーディスクＦＤへのプログラムの記録再生は、本発明の実施の形態の記録再生システムの説明図である図７（ｃ）に示されているような記録再生システムを利用して行われる。
【０１９４】
より具体的には、コンピュータシステムＣＳにフロッピーディスクドライブＦＤＤを接続することにより、フロッピーディスクＦＤを利用するプログラムの記録再生が可能となる。
【０１９５】
フロッピーディスクＦＤは、フロッピーディスク挿入口ＦＤＩを介して組込み・取出しがなされる。
【０１９６】
記録が行われるときには、コンピュータシステムＣＳが、フロッピーディスクドライブＦＤＤを利用してプログラムをフロッピーディスクＦＤに記録する。
【０１９７】
再生が行われるときには、フロッピーディスクドライブＦＤＤがプログラムをフロッピーディスクＦＤから読み出し、コンピュータシステムＣＳに転送する。
【０１９８】
上述の実施の形態全体としての効果について説明する。
【０１９９】
なお、以上においては、記録媒体としてフロッピーディスクが利用される場合について説明を行なったが、記録媒体として光ディスク、メモリカード、ＣＤ−Ｒなどが利用される場合についても同様である。
【０２００】
このように、必要な関連情報の一カ所集中記録により、記録メディア上の一カ所にアクセスし一括して読み出しを行うだけで、記録メディアの内容を速やかに表示できる。
【０２０１】
また、様々な関連情報も同時に表示できるので、各データファイルの内容を簡単に把握し、再生したいデータファイルを容易に探し出すことが可能になる。
【０２０２】
また、関連情報が一カ所に集中しており、データファイルを１個１個調べていく必要がないので、条件検索などの機能も簡単に実現できるようになる。
【０２０３】
なお、本発明の記録媒体は記録メディア１５（記録メディア１５′）に対応し、本発明のデータ選択手段は書込みファイル管理手段１１（書込みファイル管理手段１１′）、ファイル記録手段１４を含む手段に対応し、本発明のリスト記録手段は書込みファイル管理手段１１、ファイル記録手段１４を含む手段に対応し、本発明のデータ再生手段は制御手段２１、ファイル再生手段２３、データファイル出力手段２４を含む手段に対応する。また、本発明のデータ関連情報データ記録手段は、書込みファイル管理手段１１、ファイル記録手段１４を含む手段に対応する。また、本発明のリストデータ記録手段は、書込みファイル管理手段１１、ファイル記録手段１４を含む手段に対応する。
【０２０４】
また、本発明のデータはデータファイル群１３のファイルに対応し、本発明のリストは記述ファイル１６に対応し、本発明のデータ関連情報データは記述ファイル１６、リンクファイル群１７のファイルに対応し、本発明のリストデータは記述ファイル１６に対応する。
【０２０５】
なお、本発明の再生順序指定データ記録手段は、書込みファイル管理手段１１、ファイル記録手段１４を含む手段に対応する。
【０２０６】
また、本発明の再生順序指定データは、記述ファイル１６（より具体的には記述ファイル１６に書き込まれているプレイリスト）に対応する。
【０２０７】
なお、本発明のリスト出力手段は制御手段２１、ファイル再生手段２３、データファイル出力手段２４を含む手段に対応し、本発明のデータ選択手段は、制御手段２１、再生指示手段２２を含む手段に対応する。また、本発明の再生順序指定手段は、制御手段２１、再生指示手段２２を含む手段に対応する。また、本発明のリスト内容データ記録手段は、書込みファイル管理手段１１、ファイル記録手段１４を含む手段に対応する。
【０２０８】
また、本発明のリスト内容データは、データファイル群１３′のファイル（より具体的にはガイド用音声データファイル）に対応する。
【０２０９】
なお、本発明のプログラムは、上述した本発明の記録再生方法の全部または一部のステップ（または、工程、動作、作用等）の動作をコンピュータにより実行させるためのプログラムであって、コンピュータと協働して動作するプログラムである。
【０２１０】
また、本発明の記録媒体は、上述した本発明の記録再生方法の全部または一部のステップ（または、工程、動作、作用等）の全部または一部の動作をコンピュータにより実行させるためのプログラムを担持した記録媒体であり、コンピュータにより読み取り可能かつ、読み取られた前記プログラムが前記コンピュータと協動して前記動作を実行する記録媒体である。
【０２１１】
なお、本発明の上記「一部のステップ（または、工程、動作、作用等）」とは、それらの複数のステップの内の、一つまたは幾つかのステップを意味する。
【０２１２】
また、本発明の上記「ステップ（または、工程、動作、作用等）の動作」とは、前記ステップの全部または一部の動作を意味する。
【０２１３】
また、本発明のプログラムの一利用形態は、コンピュータにより読み取り可能な記録媒体に記録され、コンピュータと協働して動作する態様であっても良い。
【０２１４】
また、本発明のプログラムの一利用形態は、伝送媒体中を伝送し、コンピュータにより読みとられ、コンピュータと協働して動作する態様であっても良い。
【０２１５】
また、記録媒体としては、ＲＯＭ等が含まれ、伝送媒体としては、インターネット等の伝送媒体、光・電波・音波等が含まれる。
【０２１６】
また、上述した本発明のコンピュータは、ＣＰＵ等の純然たるハードウェアに限らず、ファームウェアや、ＯＳ、更に周辺機器を含むものであっても良い。
【０２１７】
なお、以上説明した様に、本発明の構成は、ソフトウェア的に実現しても良いし、ハードウェア的に実現しても良い。
【０２１８】
【発明の効果】
本発明は、よりユーザの意図に応じた形態でデータの再生を行うことができるという長所を有する。
【図面の簡単な説明】
【図１】
本発明の実施の形態１の記録再生システムの構成図である。
【図２】
本発明の実施の形態１の書込みファイル管理手段１１の構成図である。
【図３】
本発明の別の実施の形態の書込みファイル管理手段の構成図である。
【図４】
本発明の実施の形態１の制御手段２１の構成図である。
【図５】
本発明の実施の形態１の記述ファイル１６の説明図である。
【図６】
（ａ）本発明の実施の形態２のガイド用音声データファイルの説明図である。
（ｂ）本発明の実施の形態２のガイド用音声データファイルのタイムテーブル５１の説明図である。
（ｃ）本発明の実施の形態２の再生装置の構成図である。
【図７】
（ａ）本発明の実施の形態のフロッピーディスクＦＤの物理フォーマットの説明図である。
（ｂ）本発明の実施の形態のフロッピーディスクＦＤを収納するフロッピーディスクケースＦＤＣの説明図である。
（ｂ）本発明の実施の形態の記録再生システムの説明図である。
【符号の説明】
１０  記録装置
１１  書込みファイル管理手段
１２  内部記憶手段
１３  データファイル群
１４  ファイル記録手段
１５  記録メディア
１６  記述ファイル
１７  リンクファイル群
２０  再生装置
２１  制御手段
２２  再生指示手段
２３  ファイル再生手段
２４  データファイル出力手段
３１  書込みファイル選択手段
３２  ファイル情報抽出手段
３３  記述ファイル生成手段
３４  付加情報入力選択手段
３５  記述ファイル生成手段
４１  記述ファイル解析手段
４２  記録メディアの内容リスト
４３  出力ファイル選択手段
５１  ガイド用音声データファイルのタイムテーブル
５２  タイムテーブル解析及び出力ファイル選択手段
５３  指示タイミング検出手段
５４  データファイル及びガイド用音声データファイル出力手段
【手続補正２】
【補正対象書類名】図面
【補正対象項目名】全図
【補正方法】変更
【補正の内容】
【図１】
2003330777.tif 000002
【図２】
2003330777.tif 000003
【図３】
2003330777.tif 000004
【図４】
2003330777.tif 000005
【図５】
2003330777.tif 000006
【図６】
2003330777.tif 000007
【図７】
2003330777.tif 000008